(57)【要約】【課題】太陽電池で発電した電力を信号機の電源として利用する信号機用フードであって、日照が期待できない天候や時間帯における安定した発電と、晴天時における日照量に応じた充分な発電とを、低コスト且つ省スペースで実現する。【解決手段】信号機用フード１は、太陽光Ｌ２が透過する透明部５１ａを有する透明フード体５（湾曲透明フード体５１）と、透明フード体５１の透明部５１ａの信号灯器３側の面に装着された両面受光型太陽電池６とを有する。両面受光型太陽電池６は、信号灯器３の光Ｌ１を信号灯器側の面６１ｘで受光して発電すると共に、その反対側の面６１ｙに透明フード体５１の透明部５１ａを透過した太陽光Ｌ１を受光することでも発電する。この信号機用フード１を信号灯器３の庇として信号機本体４に取り付けることで、他に太陽電池を追加設置することなく、信号灯器の光Ｌ１と太陽光Ｌ２との双方で発電できる。【選択図】図２
2011248927.tif 000002
【特許請求の範囲】
【請求項１】
信号機本体に、信号灯器の庇として取り付けられる信号機用フードであって、
前記信号機本体に取り付けられ、太陽光が透過する透明部を有する透明フード体と、
該透明フード体の前記透明部の前記信号灯器側の面に、前記信号機本体に用いる電力を発電するため、装着された両面受光タイプの両面受光型太陽電池と
を備えたことを特徴とする信号機用フード。
【請求項２】
前記両面受光型太陽電池が、フレキシブルなシート状に形成されたフレキシブルシート状両面受光型太陽電池から成り、
前記透明フード体が、前記信号灯器の少なくとも上部を覆うように湾曲された湾曲透明フード体から成り、
該湾曲透明フード体の前記信号灯器側の面に、前記フレキシブルシート状両面受光型太陽電池を湾曲させて装着した
請求項１に記載の信号機用フード。
【請求項３】
前記湾曲透明フード体の前記信号灯器側の面に、前記フレキシブルシート状両面受光型太陽電池の両端部が夫々差し込まれる一対のガイド溝が設けられ、
該ガイド溝に、湾曲された前記フレキシブルシート状両面受光型太陽電池の両端部が差し込まれた
請求項２に記載の信号機用フード。
【請求項４】
前記湾曲透明フード体の前記信号灯器側の面に、前記フレキシブルシート状両面受光型太陽電池の差し込み方向の先端部が係合するストッパ溝を、前記ガイド溝に繋げて設けた
請求項３に記載の信号機用フード。
【請求項５】
前記ストッパ溝が、前記湾曲透明フード体の先端側に配設された請求項４に記載の信号機用フード。
【請求項６】
信号機本体に、信号灯器の庇として、請求項１から５の何れか１項に記載の信号機用フードが取り付けられたことを特徴とする信号機。
【発明の詳細な説明】
【技術分野】
【０００１】
本発明は、信号機に信号灯器の庇として取り付けられる信号機用フード及びその信号機用フードが取り付けられた信号機に係り、特に、信号機用の電力を発電する太陽電池を備えた信号機用フード及び信号機に関する。
【背景技術】
【０００２】
道路交通用の信号機の電源に、太陽電池で発電した電力を利用するようにした発明が、種々知られている（特許文献１、２等）。
【０００３】
特許文献１には、信号機が取り付けられた支柱に太陽電池（太陽光パネル）を取り付け、その太陽電池に太陽光が照射されることで発電された電力を信号機の電源として利用する交通信号システムが開示されている。特許文献２には、信号機の側面や背面等にフィルム状の太陽電池（太陽電池モジュール）を取り付け、その太陽電池に太陽光が照射されることで発電された電力を信号機の電源として利用する信号機システムが開示されている。
【０００４】
これらの発明によれば、信号機を作動させるための電力の一部に、太陽光が太陽電池に照射されることで発電した電力を利用しているので、省エネルギー化を推進できる。しかし、雨天時、曇天時又は夜間時等の日照が期待できない天候や時間帯においては、発電が不充分となる或いは発電が全くできないという問題があった。
【０００５】
そこで、本出願人は、信号機に信号灯器（信号光源）の庇として取り付けられるフード（遮光板）の信号灯器側の面に、太陽電池（フレキシブル太陽電池）を取り付け、その太陽電池に信号灯器の光が照射されることで発電し、得られた電力を信号機の電源として利用する交通信号機を創案した（特許文献３）。
【先行技術文献】
【特許文献】
【０００６】
【特許文献１】特開２００５−３１００７９号公報
【特許文献２】特開２００６−３３８３６９号公報
【特許文献３】特許第４５６９８９５号公報
【発明の概要】
【発明が解決しようとする課題】
【０００７】
この交通信号機によれば、フードの信号灯器側の面（以下内側面とも言う）に取り付けられた太陽電池に信号灯器の光が照射されることで発電しているので、雨天時、曇天時又は夜間時等の日照が期待できない天候や時間帯であっても発電できる。また、信号灯器は、青色、黄色、赤色の何れかが順番に次々と切れ目なく点灯するので、各色の信号灯器のフードの内側面に夫々太陽電池を取り付けることで、連続的な安定した発電が可能となる。
【０００８】
しかし乍ら、上述の交通信号機においては、フードの内側面に取り付けられた太陽電池は、信号灯器の光によって発電するものの、フードが太陽光を遮るため、太陽光を受光して発電することはできない。すなわち、太陽電池を備えていても、充分な日照がある晴天時における発電電力が日照量に見合っていないという課題があった。この課題は、フードの内側面に取り付けた太陽電池とは別に、特許文献１、２に開示されたように太陽光を受光する専用の太陽電池を別途追加すれば解決するが、コストアップが避けられず、また、専用の太陽電池を追加設置するためのスペースが信号機の近辺に確保できない場合もある。
【０００９】
以上の事情を考慮して創案された本発明の目的は、太陽電池で発電した電力を信号機の電源として利用する信号機用フード及び信号機であって、充分な日照が期待できない天候や時間帯における安定した発電と、晴天時における日照量に応じた充分な発電とを、低コスト且つ省スペースで実現できる信号機用フード及び信号機を提供することにある。
【課題を解決するための手段】
【００１０】
上記目的を達成するために創案された本発明に係る信号機用フードは、信号機本体に、信号灯器の庇として取り付けられる信号機用フードであって、信号機本体に取り付けられ、太陽光が透過する透明部を有する透明フード体と、透明フード体の透明部の信号灯器側の面に、信号機本体に用いる電力を発電するため、装着された両面受光タイプの両面受光型太陽電池とを備えたことを特徴とする信号機用フードである。
【００１１】
本発明の信号機用フードは、両面受光型太陽電池が、フレキシブルなシート状に形成されたフレキシブルシート状両面受光型太陽電池から成り、透明フード体が、信号灯器の少なくとも上部を覆うように湾曲された湾曲透明フード体から成り、湾曲透明フード体の信号灯器側の面に、フレキシブルシート状両面受光型太陽電池を湾曲させて装着して構成されてもよい。
【００１２】
本発明の信号機用フードは、湾曲透明フード体の信号灯器側の面に、フレキシブルシート状両面受光型太陽電池の両端部が夫々差し込まれる一対のガイド溝が設けられ、ガイド溝に、湾曲されたフレキシブルシート状両面受光型太陽電池の両端部が差し込まれて構成されてもよい。
【００１３】
本発明の信号機用フードは、湾曲透明フード体の信号灯器側の面に、フレキシブルシート状両面受光型太陽電池の差し込み方向の先端部が係合するストッパ溝を、ガイド溝に繋げて設けた構成であってもよい。
【００１４】
本発明の信号機用フードは、ストッパ溝が、湾曲透明フード体の先端側に配設された構成であってもよい。
【００１５】
また、本発明に係る信号機は、信号機本体に、信号灯器の庇として、上述した何れかの信号機用フードが取り付けられたことを特徴とする信号機である。
【発明の効果】
【００１６】
本発明においては、信号機本体に信号灯器の庇として取り付けられる信号機用フードが、透明部を有する透明フード体と、透明フード体の透明部の信号灯器側の面に装着された両面受光型太陽電池とを備えている。この両面受光型太陽電池は、信号灯器の光を信号灯器側の面で受光して発電すると共に、その反対側の面に透明フード体の透明部を透過した太陽光を受光することでも発電する。
【００１７】
すなわち、上述した透明フード体と両面受光型太陽電池とを備えた信号機用フードを信号灯器の庇として信号機本体に取り付けることで、他に太陽電池を追加設置することなく、信号灯器の光と太陽光との双方で発電できる。よって、充分な日照が期待できない天候や時間帯における信号灯器の光による安定した発電と、晴天時における太陽光による日照量に応じた充分な発電とを、低コスト且つ省スペースで実現できる。
【００１８】
また、両面受光型太陽電池は、透明フード体の信号灯器側の面に装着されているので、透明フード体によって風雨から防護され、太陽光よりも弱い信号灯器の光を直接受光して効率よく発電できる。
【図面の簡単な説明】
【００１９】
【図１】本発明の第１実施形態に係る信号機用フード及びそれを取り付けた信号機の説明図であり、（ａ）は信号機の正面図、（ｂ）は同じく部分側断面図、（ｃ）は同じく底面図である。
【図２】第１実施形態の作用を説明する説明図であり、（ａ）は信号機の部分側断面図、（ｂ）は（ａ）のIIb−IIb線断面図である。
【図３】本発明の第２実施形態に係る湾曲透明フード体とフレキシブルシート状両面受光型太陽電池との取り付け関係を示す斜視図である。
【図４】図３のIV−IV線断面図である。
【図５】本発明の第３実施形態に係る信号機用フード及びそれを取り付けた信号機の説明図であり、（ａ）は信号機の部分側断面図、（ｂ）は（ａ）のVb−Vb線断面図である。
【図６】本発明の第４実施形態に係る信号機用フード及びそれを取り付けた信号機の部分側断面図である。
【図７】本発明の第５実施形態の説明図であり、（ａ）は信号機用フードを既存の信号機のショートフードに取り付ける様子を示す組立図、（ｂ）は組み立てられた信号機の部分側断面図である。
【図８】本発明の第６実施形態の説明図であり、信号機用フードを既存のショートフードの内側に取り付けた信号機の部分側断面図である。
【発明を実施するための形態】
【００２０】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（第１実施形態）
図１及び図２に、本発明の第１実施形態に係る信号機用フード１及びそれを取り付けて成る信号機２を示す。図１は、信号機用フード１が取り付けられた信号機２の三面図であり、図２は、図１の部分拡大図である。信号機２は、信号灯器３が設けられた信号機本体４と、信号機本体４に取り付けられた信号機用フード１とを備えている。
【００２２】
（信号機用フード１）
第１実施形態に係る信号機用フード１は、信号機本体４に、信号灯器３の庇として取り付けられるものであり、信号機本体４に取り付けられる透明フード体５と、透明フード体５に装着された両面受光型太陽電池６とを備えている。
【００２３】
（透明フード体５）
透明フード体５は、信号機本体４の信号灯器（青色、黄色、赤色）３の側部から上部を覆うように断面略半円状に湾曲された湾曲透明フード体５１から成り、各信号灯器３毎に取り付けられている。湾曲透明フード体５１は、太陽光が透過する透明部５１ａと、信号機本体４に取り付けられる取付部５１ｂとを有する。取付部５１ｂは、湾曲透明フード体５１が信号機本体４に取り付けられることで信号灯器３の光が当たらなくなる湾曲透明フード体５１の根元に配設され、透明部５１ａは、湾曲透明フード体５１の取付部５１ｂよりも先端側に配設されている。
【００２４】
取付部５１ｂには、ボルト・ナット、ネジ等の締結具５２が挿通される孔５３が形成されており、孔５３に挿通された締結具５２によって、取付部５１ｂが信号機本体４に取り付けられるようになっている。透明部５１ａは、アクリルやポリカーボネート等の透明なプラスチック樹脂又は強化ガラス等からなる。本実施形態においては、取付部５１ｂも透明部５１ａと同じ材質（プラスチック樹脂）から一体的に形成されていて透明となっているが、取付部５１ｂは必ずしも透明である必要はなく、例えば取付部５１ｂを金属（スチール等）から構成し、或いは、湾曲透明フード体５１の根元に金属板を積層してこれを取付部５１ｂとすることで、孔５３の近傍を強化してもよい。
【００２５】
（両面受光型太陽電池６）
湾曲透明フード体５１の透明部５１ａの信号灯器３側の面（以下内側面とも言う）には、両面受光タイプの両面受光型太陽電池６が装着されている。両面受光型太陽電池６は、フレキシブルなシート状に形成されたフレキシブルシート状両面受光型太陽電池６１から成り、図２に示すように、信号灯器３の光Ｌ１を内側面６１ｘで受光して発電すると共に、その反対側の面６１ｙ（以下外側面とも言う）に透明部５１ａを透過した太陽光Ｌ２を受光することでも発電する。
【００２６】
フレキシブルシート状両面受光型太陽電池６１は、図示しない透明（無色透明）な基板シートと、基板シートに設けられた両面受光型セルと、表面を覆う保護シートとを備えている。基板シートの材質には、透明で屈曲可能なポリイミド（多脂環構造ポリイミド）等が用いられる。両面受光型セルは、黒色乃至は茶褐色であり、ある程度の光を遮ることができる。両面受光型セルには、両面の光電交換効率が等しいものの他、一方の受光面と他方の受光面とで光電交換効率の異なるものを用いてもよい。保護シートの材質には屈曲可能な透明プラスチック等が用いられる。保護シートの表面には、汚れ（有機物、窒素酸化物、塩化化合物等）を酸化分解するため、光触媒を接着剤等によって坦持させてもよい。
【００２７】
かかるフレキシブルシート状両面受光型太陽電池６１は、湾曲透明フード体５１の透明部５１ａの内側面に合わせて湾曲され、接着剤や両面テープ等によって、その透明部５１ａの内側面に取り付けられている。
【００２８】
（その他）
フレキシブルシート状両面受光型太陽電池６１により発電された電力は、信号機２が取り付けられた支柱やその近傍等に設置された充電池に充電されるようになっており、信号機本体４の信号灯器３を点灯させる電源や、信号灯器３の点滅を制御する制御装置を作動する電源として用いられる。信号灯器３や制御装置等の信号機本体４に用いる電力は、上述した充電池の他に商用交流電源からも供給され、両面受光型太陽電池６で発電された電力では足りない分が商用交流電源から補われるようになっている。また、災害時等に停電によって商用交流電源が遮断された場合には、充電池に蓄電された電力によって信号機本体４が一定時間作動されるようになっている。
【００２９】
（作用・効果）
図２に示すように、信号機本体４に信号灯器３の庇（雨避け、日除け用の庇）として取り付けられた信号機用フード１は、透明部５１ａを有する透明フード体５と、透明フード体５の透明部５１ａの内側面に装着された両面受光型太陽電池６とを備えている。透明フード体５は、信号灯器３に対して雨避け・雪避けとして機能し、透明フード体５の透明部５１ａに取り付けられた両面受光型太陽電池６は、既述のようにセルの部分が黒色乃至は茶褐色であるので、信号灯器３に対して日除けとして機能する。
【００３０】
両面受光型太陽電池６は、信号灯器３の光Ｌ１を内側面６１ｘで受光して発電すると共に、外側面６１ｙに透明フード体５の透明部５１ａを透過した太陽光Ｌ２を受光することでも発電する。すなわち、本実施形態に係る信号機用フード１を信号灯器３の庇として信号機本体４に取り付けることで、他に太陽電池を追加設置することなく、信号灯器３の光Ｌ１と太陽光Ｌ２との双方で発電できる。この結果、雨天、曇天、夜間等の充分な日照が期待できない天候や時間帯における信号灯器３の光Ｌ１による安定した発電と、晴天時における太陽光Ｌ２による日照量に応じた充分な発電とを、低コスト且つ省スペースで実現できる。
【００３１】
両面受光型太陽電池６は、透明フード体５の内側面に取り付けられているので、透明フード体５によって風雨から防護され、損傷や劣化が抑制される。また、透明フード体５の内側面に取り付けられた両面受光型太陽電池６は、晴天時の太陽光Ｌ２と比べて光度（照度）が小さい信号灯器３の光Ｌ１を、透明フード体５を介さずに直接受光できる。よって、信号灯器３の光Ｌ１が透明フード体５を通過することによる減衰は発生せず、信号灯器３の光Ｌ１による発電効率を可及的に高めることができる。また、信号灯器３は、青色、黄色、赤色の何れかが順番に次々と切れ目なく点灯するので、各色の信号灯器３のフード１の内側面に夫々取り付けられた太陽電池６により、連続的な安定した高発電効率での発電が可能となる。
【００３２】
両面受光型太陽電池６に、両面で光電交換効率の異なるものを用いる場合、光電交換効率の高い面を内側面６１ｘとしてもよい。これにより、太陽光Ｌ２よりも弱い信号灯器３の光Ｌ１を光電交換効率の高い面で受光でき、雨天時・夜間時等における信号灯器３の光Ｌ１による発電効率を更に高めることができる。但し、晴天時の太陽光Ｌ２による発電を重視するのであれば、両面受光型太陽電池６の光電交換効率の高い面を外側面６１ｙとする。
【００３３】
また、黄色の信号灯器３は、その他の色と比べて点灯時間が極端に短く、信号灯器３の光Ｌ１による発電が期待できない。よって、黄色の信号灯器３に取り付けられる信号機用フード１においては、両面受光型太陽電池６の光電交換効率の高い面を外側面６１ｙとし、太陽光Ｌ２による発電を重視することが考えられる。この場合、赤色・青色の信号灯器３に取り付けられる信号機用フード１においては、両面受光型太陽電池６の光電交換効率の高い面を内側面６１ｘとし、信号灯器３の光Ｌ１による発電を重視してもよい。
【００３４】
透明フード体５には、信号灯器３の少なくとも上部を多うように湾曲された湾曲透明フード体５１が用いられている。これにより、湾曲透明フード体５１の内側面に取り付けられたフレキシブルシート状両面受光型太陽電池６１は、図２（ｂ）に一点鎖線の矢印で示すように、太陽光Ｌ２の照射角度が１日を通じて変化しても、何れかの部位で太陽光Ｌ２を適切な角度（直角に近い角度）で受光できる。
【００３５】
両面受光型太陽電池６には、フレキシブルなシート状に形成されたフレキシブルシート状両面受光型太陽電池６１が用いられている。フレキシブルシート状両面受光型太陽電池６１は、プラスチック等から構成されるので、ガラスを用いた通常の太陽電池よりも軽量となる。よって、信号機用フード１を信号機本体４に取り付けたときの荷重負担が小さくなる。
【００３６】
（第２実施形態）
図３及び図４に、本発明の第２実施形態を示す。図３は、第２実施形態に係る湾曲透明フード体５１とフレキシブルシート状両面受光型太陽電池６１との取り付け関係を示す斜視図であり、図４は、図３のIV−IV線断面図である。第２実施形態は、上述した第１実施形態と基本的な構成要素は同一であり、湾曲透明フード体５１とフレキシブルシート状両面受光型太陽電池６１との取り付け構造が第１実施形態と相違する。よって、第１実施形態と同一の構成要素には同一の符号を付して説明を省略する。
【００３７】
図３に示すように、第２実施形態においては、フレキシブルシート状両面受光型太陽電池６１は、湾曲透明フード体５１の内側面に接着又は両面テープにより取り付けられるのではなく、湾曲透明フード体５１の内側面に設けられたガイド溝５４に差し込まれて装着されるようになっている。すなわち、第２実施形態の湾曲透明フード体５１の内側面の幅方向両端部には、一対のガイド溝５４が長手方向に沿って設けられており、これらガイド溝５４に、湾曲されたフレキシブルシート状両面受光型太陽電池６１の幅方向両端部６２が夫々差し込まれる。ガイド溝５４は、本実施形態では、湾曲透明フード体５１の内側面の幅方向両端部をＵ字状に折り返すことで形成されているが、断面Ｌ字状乃至Ｕ字状のレール部材を湾曲透明フード体５１の内側面の左右に取り付けて構成してもよい。
【００３８】
図４に示すように、湾曲透明フード体５１の内側面には、ガイド溝５４に差し込まれたフレキシブルシート状両面受光型太陽電池６１の先端部６３が係合するストッパ溝５５が、ガイド溝５４に繋げて設けられている。ストッパ溝５５は、本実施形態ではガイド溝５４と同様に湾曲透明フード体５１の内側面の先端部をＵ字状に折り返すことで形成されているが、断面Ｌ字状乃至Ｕ字状のレール部材を湾曲透明フード体５１の内側面の先端に取り付けて構成してもよい。ストッパ溝５５は、湾曲透明フード体５１の先端側（信号灯器３から離間した側）に配設されており、フレキシブルシート状両面受光型太陽電池６１が、湾曲透明フード体５１の根元側（信号灯器３に近い側）からガイド溝５４に差し込まれるようになっている。
【００３９】
第２実施形態によれば、フレキシブルシート状両面受光型太陽電池６１を、湾曲透明フード体５１の内側面に合わせて湾曲させてガイド溝５４に差し込むことで、接着剤や両面テープ等を用いることなく、簡単且つ容易に湾曲透明フード体５１の内側面に装着することができる。
【００４０】
また、ガイド溝５４が湾曲透明フード体５１の幅方向両端部に長手方向に沿って設けられ、そのガイド溝５４に繋げて湾曲透明フード体５１の先端部にストッパ溝５５が設けられており、これらガイド溝５４及びストッパ溝５５を構成する折返し部５４ａ、５５ａ（又は断面Ｌ字状乃至Ｕ字状のレール部材）が、湾曲透明フード体５１の補強部材としても機能する。このため、湾曲透明フード体５１の板厚を可及的に薄くできる。よって、信号機用フード１の軽量化を推進できると共に、太陽光Ｌ２が湾曲透明フード体５１の透明部５１ａの板厚を通過する際の光度の減衰を小さくでき、発電量の増加を図れる。
【００４１】
加えて、ストッパ溝５５を構成する折返し部５５ａ（又はレール部材）は、湾曲透明フード体５１の先端とフレキシブルシート状両面受光型太陽電池６１の先端との隙間をカバーし、風に巻き上げられた塵埃等がこの隙間から内部に進入することを防止する。同様に、ガイド溝５４を構成する折返し部５４ａ（又はレール部材）は、湾曲透明フード体５１の幅端とフレキシブルシート状両面受光型太陽電池６１の幅端との隙間をカバーし、塵埃がこの隙間から内部に進入することを防止する。
【００４２】
この結果、塵埃が上述した隙間からフレキシブルシート状両面受光型太陽電池６１と湾曲透明フード体５１との間に進入し、その塵埃が太陽光を遮ることによるフレキシブルシート状両面受光型太陽電池６１の光電変換効率の低下を防止できる。なお、湾曲透明フード体５１の根元側の端部は、信号機本体４に当接されるので（図２（ａ）参照）、塵埃が根元側から湾曲透明フード体５１とフレキシブルシート状両面受光型太陽電池６１との隙間に進入することはない。第２実施形態の基本的な作用効果は、第１実施形態と同様であるので説明を省略する。
【００４３】
（第３実施形態）
図５に、本発明の第３実施形態を示す。図５（ａ）は、第３実施形態に係る信号機用フード１が取り付けられた信号機２の部分側断面図、図５（ｂ）は図５（ａ）のVb−Vb線断面図である。第３実施形態は、上述した第１実施形態と基本的な構成要素は同一であり、信号灯器３の前面に信号光源からの光をフレキシブルシート状両面受光型太陽電池６１に向けて偏向させる偏向部材３１を設けた点が第１実施形態と相違する。よって、第１実施形態と同一の構成要素には同一の符号を付して説明を省略する。偏向部材３１は、信号灯器３の上部辺縁に配設され、偏向のためにプリズムやハーフミラー等が用いられ、屈折率を信号灯器３の中心部と異ならせることで偏向させてもよい。
【００４４】
第３実施形態によれば、信号灯器３の上部辺縁の光が偏向部材３１によってフレキシブルシート状両面受光型太陽電池６１に向けて偏向され、信号灯器３の中心部及び下部の光はそのまま前方及び下方に直進する。よって、信号灯器３の視認性を低下させることなく、視認性に影響を与えない信号灯器３の上部辺縁の光によって発電量を増大できる。なお、第３実施形態の基本的な作用効果は、第１実施形態と同様であるので説明を省略する。
【００４５】
（第４実施形態）
図６に、本発明の第４実施形態を示す。図６は、第４実施形態に係る信号機用フード１が取り付けられた信号機２の部分側断面図である。第４実施形態は、上述した第１実施形態と基本的な構成要素は同一であり、湾曲透明フード体５１の取付部５１ｂ及びそれよりも先端側の根元部５１ｃを黒色等で塗装することで、日除け用の庇としての機能を強化した点が第１実施形態と相違する。よって、第１実施形態と同一の構成要素には同一の符号を付して説明を省略する。なお、根元部５１ｃの信号灯器３からの長さは、既存の信号機のショートフード５ｓ（図７（ａ）参照）と同等の長さとしてもよい。第４実施形態の基本的な作用効果は、第１実施形態と同様であるので説明を省略する。
【００４６】
（第５実施形態）
図７に、本発明の第５実施形態を示す。図７（ａ）は、第５実施形態に係る信号機用フード１を既存の信号機２のショートフード５ｓに取り付ける組立図、図７（ｂ）はその信号機２の部分側断面図である。第５実施形態の信号機用フード１は、フレキシブルシート状両面受光型太陽電池６１の寸法・形状が既存の信号機２のショートフード５ｓを避けるように設定されており、ショートフード５ｓに直接取り付けられるようになっている点が第１実施形態と相違する。よって、第１実施形態と同一の構成要素には同一の符号を付して説明を省略する。第５実施形態の基本的な作用効果は、第１実施形態と同様であるので説明を省略する。
【００４７】
（第６実施形態）
図８に、本発明の第６実施形態を示す。図８は、第６実施形態に係る信号機用フード１を既存の信号機２のショートフード５ｓの内側面に取り付けた部分側断面図である。第６実施形態は、信号機用フード１を既存の信号機の２ショートフード５ｓの内側面に取り付けた点が第５実施形態と相違し、基本的な構成要素は第１及び第５実施形態と同様である。よって、第１及び第５実施形態と同一の構成要素には同一の符号を付して説明を省略する。第６実施形態の基本的な作用効果は、第１及び第５実施形態と同様であるので説明を省略する。
【００４８】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。例えば、本発明は、上述した道路交通用の信号機の他、鉄道用の信号機や駐車場の出入口用の信号機等にも適用でき、上述した各実施形態を適宜組み合わせてもよい。
【産業上の利用可能性】
【００４９】
本発明は、信号機用の電力を発電する太陽電池が取り付けられた信号機用フード及び信号機に利用できる。
【符号の説明】
【００５０】
１  信号機用フード
２  信号機
３  信号灯器
４  信号機本体
５  透明フード体
５１  湾曲透明フード体
５１ａ  透明部
５１ｂ  取付部
５４  ガイド溝
５５  ストッパ溝
６  両面受光型太陽電池
６１  フレキシブルシート状両面受光型太陽電池
６２  両端部
６３  先端部
Ｌ１  信号灯器の光
Ｌ２  太陽光
【図１】
2011248927.tif 000003
【図２】
2011248927.tif 000004
【図３】
2011248927.tif 000005
【図４】
2011248927.tif 000006
【図５】
2011248927.tif 000007
【図６】
2011248927.tif 000008
【図７】
2011248927.tif 000009
【図８】
2011248927.tif 000010